(57)【要約】【課題】遮水シートに孔をあけず、壁面へ二重に遮水シートを施すことの可能な壁面遮水構造、及び、壁面遮水工法を提供する。【解決手段】第１遮水シート２４は、内側で第１取付具３０の外側と融着されており、第１遮水シート２４の外側には、第２取付具３４が接着されている。第２保護シート２６は、第１遮水シート２４の外側を覆うように配置されており、露出口２６Ａから第２取付具３４が第２保護シート２６の外側に露出されている。第２遮水シート２８は、第２保護層の外側を覆うように配置され、第２遮水シート２８の内側面は、第２取付具３４の外側面と接着されている。【選択図】図１
2007330871.tif 000002
【特許請求の範囲】
【請求項１】
地盤の壁面を遮水するための壁面遮水構造であって、
前記壁面に設けられたコンクリート層と、
前記コンクリート層の外側を覆うように設けられた第１保護層と、
前記第１保護層の外側の複数箇所に配置され、外側からコンクリートアンカーが打ち込まれて前記コンクリート層に固定された第１接着部材と、
前記第１保護層及び前記第１接着部材の外側を覆うように設けられ、前記第１接着部材の外側面と接着された第１遮水シートと、
前記第１遮水シートの外側の前記第１接着部材と異なる位置に複数配置され、前記第１遮水シートと内側面で接着された第２接着部材と、
前記第１遮水シートの外側を覆うと共に、前記第２接着部材を外側に露出させる露出口の構成された第２保護層と、
前記第２保護層の外側を覆うと共に、前記第２接着部材の外側面と接着された第２遮水シートと、
を備えた壁面遮水構造。
【請求項２】
前記第２遮水シートの外側を覆うように第３保護層が設けられていること、を特徴とする請求項１に記載の壁面遮水構造。
【請求項３】
前記第２遮水シートと前記第３保護層との間に不織布が配置されていること、を特徴とする請求項２に記載の壁面遮水構造。
【請求項４】
前記第１保護層、及び、前記第２保護層の少なくとも一方が、不織布で構成されていること、を特徴とする請求項１乃至請求項３のいずれか１項に記載の壁面遮水構造。
【請求項５】
地盤の壁面を遮水するための壁面遮水工法であって、
前記壁面にコンクリート層を配設するコンクリート配設工程と、
前記コンクリート層の外側を覆うように第１保護層を配置すると共に前記第１保護層の外側の複数箇所に第１接着部材を配置し、外側からコンクリートアンカーを打ち込んで前記第１保護層及び前記第１接着部材を前記コンクリート層に固定する第１保護層固定工程と、
複数の第２接着部材が予め前記第１接着部材と異なる位置の外側面に接着された第１遮水シートを、前記第１保護層及び前記第１接着部材の外側を覆うように配置すると共に、前記第１遮水シートと前記第１接着部材とを接着させる、第１遮水シート接着工程と、
前記第１遮水シートを外側から覆うように第２保護層を配置すると共に、前記第２接着部材を外側に露出させる露出口を開口する、第２保護層配置工程と、
前記第２保護層及び前記第２接着部材の外側を覆うように第２遮水シートを配置すると共に、前記第２遮水シートを前記第２接着部材と接着させる第２遮水シート接着工程と、
を含む壁面遮水工法。
【請求項６】
前記第１遮水シート接着工程における前記第１遮水シートと前記第１接着部材との接着、及び、第２遮水シート接着工程における前記第２遮水シートと前記第２接着部材との接着は、前記第１接着部材及び前記第２接着部材を溶融して各々前記第１遮水シート、前記第２遮水シートへ融着させること、を特徴とする請求項５に記載の壁面遮水工法。
【請求項７】
前記第２遮水シートの外側を覆うように第３保護層を設ける第３保護層設置工程をさらに含んでいること、を特徴とする請求項５または請求項６に記載の壁面遮水工法。
【請求項８】
前記第２遮水シートの外側面には、予め不織布が接着されていること、を特徴とする請求項７に記載の壁面遮水工法。
【請求項９】
前記第１保護層、及び、前記第２保護層の少なくとも一方が、不織布で構成されていること、を特徴とする請求項５乃至請求項８のいずれか１項に記載の壁面遮水工法。
【発明の詳細な説明】
【技術分野】
【０００１】
本発明は、壁面遮水構造、及び、壁面遮水工法に関し、特に、地盤の壁面を遮水するための壁面遮水構造、及び、この壁面遮水構造を実現するための壁面遮水工法に関する。
【背景技術】
【０００２】
廃棄物最終処分場など、地盤との隔離が必要とされる施設においては、隔壁が遮水構造であることが要請される。そして、この遮水構造は、図７（Ａ）に示すように、構造物の内側のすべての面をコンクリート躯体１００とするものであれば、コンクリート躯体１００の内側に単層の遮水シート１０２を施す構成とする場合もあるが、図７（Ｂ）、図７（Ｃ）に示すように、構造物内側の下面がコンクリートで覆われない地盤９０とされている場合には、コンクリート壁１０４の内側及び地盤９０上に、二重の遮水シート１０６を施す必要がある。
【０００３】
ところで、遮水シートは、遮水性を確保するために孔をあけずに壁面に取り付けることが要請される。壁面の中間部において遮水シートを穿孔なしに取り付ける方法として、特許文献１には、接着部材をコンクリートアンカーでコンクリート層へ固定し、この接着部材の外側と熱融着により遮水シートを取り付ける方法が開示されている。
【０００４】
しかしながら、この方法は一重で遮水シートを取り付けるためのものであり、この方法を２回繰り返して遮水シートを取り付けると、内側に配置された遮水シートに孔をあけてしまうことになる。遮水シートに孔をあけた場合には、この孔の部分へのシールが必要になり、施工工程が複雑になる。
【０００５】
【特許文献１】特開２０００−３１４２９７号公報
【発明の開示】
【発明が解決しようとする課題】
【０００６】
本発明は上記事実を考慮してなされたものであり、遮水シートに孔をあけず、壁面へ二重に遮水シートを施すことの可能な壁面遮水構造、及び、壁面遮水工法を提供することを課題とする。
【課題を解決するための手段】
【０００７】
上記課題を解決するために、請求項１に記載の壁面遮水構造は、地盤の壁面を遮水するための壁面遮水構造であって、前記壁面に設けられたコンクリート層と、前記コンクリート層の外側を覆うように設けられた第１保護層と、前記第１保護層の外側の複数箇所に配置され、外側からコンクリートアンカーが打ち込まれて前記コンクリート層に固定された第１接着部材と、前記第１保護層及び前記第１接着部材の外側を覆うように設けられ、前記第１接着部材の外側面と接着された第１遮水シートと、前記第１遮水シートの外側の前記第１接着部材と異なる位置に複数配置され、前記第１遮水シートと内側面で接着された第２接着部材と、前記第１遮水シートの外側を覆うと共に、前記第２接着部材を外側に露出させる露出口の構成された第２保護層と、前記第２保護層の外側を覆うと共に、前記第２接着部材の外側面と接着された第２遮水シートと、を備える。
【０００８】
ここで、第１遮水シート、第２遮水シートは、遮水性（防水性）の確保されたシートであり、ゴム、ポリエチレンなどの材料で構成することができる。また、第１保護層、第２保護層は、遮水シートの損傷を抑制するための緩衝材としての機能と、排水性を向上させるための排水機能を有していることが好ましい。
【０００９】
上記構成の壁面遮水構造では、地盤に近い側から順に、コンクリート層、第１保護層、第１遮水シート、第２保護層、第２遮水シートが積層されている。第１保護層と第１遮水シートとの間には、第１接着部材が配置され、第１保護層は、第１接着部材の外側から打ち込まれたコンクリートアンカーによりコンクリート層に固定されている。第１遮水シートは、第１保護層及び第１接着部材の外側を覆うように設けられ、第１接着部材の外側面と接着されることにより壁面に固定される。したがって、第１遮水シートは、孔があけられることなく壁面に固定される。
【００１０】
第１遮水シートの外側面の第１接着部材と異なる位置には、第２接着部材が複数配置されている。第２接着部材は、第１遮水シートと内側面で接着されている。第２保護層は、第１遮水シートの外側を覆うように配置されるが、第２保護層には露出口が開口されており、この露出口から第２接着部材が第２保護層の外側に露出されている。第２遮水シートは、第２保護層の外側を覆うように配置され、露出口から露出された第２接着部材と接着される。これにより、第２遮水シートは第２接着部材を介して第１遮水シートに固定され、第２保護層は第１遮水シートと第２遮水シートへ接着されている第２接着部材に支持される。
【００１１】
本発明の壁面遮水構造とすることにより、第１、第２遮水シートに孔をあけず、壁面へ二重に遮水シートを施すことができる。したがって、孔をシールするための工程が不要となり、簡易な構成高い遮水性を得ることができる。
【００１２】
請求項２に記載の壁面遮水構造は、前記第２遮水シートの外側を覆うように第３保護層が設けられていること、を特徴とする。
【００１３】
このように、第３保護層を設けることにより、第２遮水シートが外側に露出されず、第２遮水シートの損傷を防止することができる。
【００１４】
請求項３に記載の壁面遮水構造は、前記第２遮水シートと前記第３保護層との間に不織布が配置されていること、を特徴とする。
【００１５】
一般的に遮水シートの表面は凹凸が少なく、第３保護層を積層することが難しい。繊維により表面に凹凸が多数構成されている不織布を第２遮水シートに予め接着しておくことにより、第３保護層を容易に積層することができる。
【００１６】
請求項４に記載の壁面遮水構造は、前記第１保護層、及び、前記第２保護層の少なくとも一方が、不織布で構成されていること、を特徴とする。
【００１７】
緩衝機能と排水機能を有する不織布を用いることにより、遮水シートの損傷を抑制することができると共に、排水性を向上させることができる。
【００１８】
請求項５に記載の壁面遮水工法は、地盤の壁面を遮水するための壁面遮水工法であって、前記壁面にコンクリート層を配設するコンクリート配設工程と、前記コンクリート層の外側を覆うように第１保護層を配置すると共に前記第１保護層の外側の複数箇所に第１接着部材を配置し、外側からコンクリートアンカーを打ち込んで前記第１保護層及び前記第１接着部材を前記コンクリート層に固定する第１保護層固定工程と、複数の第２接着部材が予め前記第１接着部材と異なる位置の外側面に接着された第１遮水シートを、前記第１保護層及び前記第１接着部材の外側を覆うように配置すると共に、前記第１遮水シートと前記第１接着部材とを接着させる、第１遮水シート接着工程と、前記第１遮水シートを外側から覆うように第２保護層を配置すると共に、前記第２接着部材を外側に露出させる露出口を開口する、第２保護層配置工程と、前記第２保護層及び前記第２接着部材の外側を覆うように第２遮水シートを配置すると共に、前記第２遮水シートを前記第２接着部材と接着させる第２遮水シート接着工程と、を含んで構成されている。
【００１９】
上記の壁面遮水工法では、まず、コンクリート配設工程で、地盤との境界にコンクリート層を配設し、第１保護層固定工程で、コンクリート層の外側を覆うように第１保護層を配置すると共に第１保護層の外側の複数箇所に第１接着部材を配置し、外側からコンクリートアンカーを打ち込んで第１保護層及び第１接着部材をコンクリート層に固定する。
【００２０】
次に、第１遮水シート接着工程で、第１遮水シートを、第１保護層及び第１接着部材の外側を覆うように配置し、第１遮水シートと第１接着部材とを接着させる。これにより、第１遮水シートに孔をあけずに第１遮水シートを壁面へ固定することができる。
【００２１】
次に、第２保護層配置工程で、第１遮水シートを外側から覆うように第２保護層を配置すると共に、第２接着部材を外側に露出させる露出口を開口する。複数の第２接着部材は、予め第１遮水シートの第１接着部材と異なる位置の外側面に接着されている。
【００２２】
そして、第２遮水シート接着工程で、第２保護層及び第２接着部材の外側を覆うように第２遮水シートを配置し、第２遮水シートを第２接着部材と接着させる。これにより、第２遮水シートに孔をあけずに、第２遮水シートを壁面へ固定することができる。
【００２３】
以上より、本発明の壁面遮水工法によれば、遮水シートに孔をあけず、壁面へ二重に遮水シートを施すことができる。
【００２４】
請求項６に記載の壁面遮水工法は、前記第１遮水シート接着工程における前記第１遮水シートと前記第１接着部材との接着、及び、第２遮水シート接着工程における前記第２遮水シートと前記第２接着部材との接着が、前記第１接着部材及び前記第２接着部材を溶融して各々前記第１遮水シート、前記第２遮水シートへ融着させること、であることを特徴とする。
【００２５】
このように、融着により接着することにより、接着剤等を用いた場合と比較して、より安定的に接着することができる。
【００２６】
請求項７に記載の壁面遮水工法は、前記第２遮水シートの外側を覆うように第３保護層を設ける第３保護層設置工程をさらに含んでいること、を特徴とする。
【００２７】
このように、第３保護層設置工程で第３保護層を設けることにより、第２遮水シートが露出されず、第２遮水シートの損傷を防止することができる。
【００２８】
請求項８に記載の壁面遮水工法は、前記第２遮水シートの外側面には、予め不織布が接着されていること、を特徴とする。
【００２９】
一般的に遮水シートの表面は凹凸が少なく、第３保護層を積層することが難しい。繊維により表面に凹凸が構成されている不織布を第２遮水シートに予め接着しておくことにより、第３保護層を容易に積層することができる。
【００３０】
請求項７に記載の壁面遮水工法は、前記第１保護層、及び、前記第２保護層の少なくとも一方が、不織布で構成されていること、を特徴とする。
【００３１】
弾性と排水機能を有する不織布を用いることにより、遮水シートの損傷を抑制することができると共に、排水性を向上させることができる。
【発明の効果】
【００３２】
本発明は、上記構成としたので、遮水シートに孔をあけず、壁面へ二重に遮水シートを施すことができる。
【発明を実施するための最良の形態】
【００３３】
本発明に係る壁面遮水構造は、図１に示すような直壁や、急傾斜の法面に適用される遮水構造であって、積層されるシートの自重によるシートの落下やバタツキ等を防止するために、壁の鉛直方向の中間部分に施される構造である。本実施形態では、廃棄物最終処理場の外周壁のうち、図７（Ｂ）、図７（Ｃ）に示すように、構造物内側の下面がコンクリートで覆われない地盤とされているものに適用される壁面遮水構造１０として説明をする。
【００３４】
図１に示されるように、地盤１２には壁面１４が構成されている。壁面１４は、略鉛直方向の直壁とされている。壁面１４の外側には、コンクリート層２０が設けられている。コンクリート層２０は、壁面１４に沿って設けられており、コンクリート層２０で囲まれた内側に廃棄場１６が構成される。廃棄場１６の下面１７はコンクリートで覆われておらず、地盤１２で構成されている。
【００３５】
コンクリート層２０の外側、及び、下面１７上は、遮水層２１で覆われている。遮水層２１は、コンクリート層２０の上端の地盤１２側で上端部がブロック１５Ａによって押え止めされ、コンクリート層２０の下端の廃棄場１６側でブロック１５Ｂによって押え止めされている。
【００３６】
遮水層２１は、図２に示すように、第１保護シート２２、第１遮水シート２４、第２保護シート２６、第２遮水シート２８、不織布４０、及び第３保護層２９を含んで構成されている。第１保護シート２２は、コンクリート層２０の外側を覆うように配置されている。
【００３７】
第１保護シート２２及び、第２保護シート２６は、緩衝機能、及び、排水機能を有する不織布で構成されている。不織布としては、短繊維不織布、長繊維不織布、反毛フエルトなどを材料とするものを用いることができる。
【００３８】
また、第１遮水シート２４、第２遮水シート２８は、防水性、耐久性を考慮して、合成樹脂系の素材、例えば、低密度ポリエチレンシートやＴＰＯシートなどで構成することができる。
【００３９】
遮水層２１は、複数の中間部Ｍ（図１参照）で、コンクリート層２０に固定されている。複数の中間部Ｍは、壁面１４の高さ、幅などを考慮して、適当な間隔で設けられる。
【００４０】
第１取付具３０は、図３（Ａ）（Ｂ）に示すように、円盤状とされ、中央部に円形の凹部３０Ａが構成されている。第１取付具３０は、中間部Ｍにおいて第１保護シート２２の外側に配置されている。第１保護シート２２は、第１取付具３０の凹部３０Ａにコンクリートアンカー３２を外側から打ち込んで、第１取付具３０と共にコンクリート層２０に固定される。
【００４１】
なお、第１取付具３０は、後述するように、表面部分３０Ｂが溶融により第１遮水シート２４と融着されることが好ましい。そのため、エチレン酢酸ビニル共重合体（ＥＶＡ）、ポリエチレン（ＰＥ）を始めとするポリオレフィン系樹脂などを材料として構成することが好ましい。また、赤外線による加熱溶融を行う場合には、カーボンブラックなどの赤外線吸収剤を含んでいることが好ましい。
【００４２】
第１遮水シート２４は、図２に示すように、第１保護シート２２及び第１取付具３０を覆うように配置されている。第１遮水シート２４の内側面は、第１取付具３０の外側面と接着されている。ここでの接着は、第１取付具３０を加熱溶融させ、第１遮水シート２４と融着させることにより行われている。このように、融着されているので、接着剤を介しての接着と比較して、耐久性にすぐれ強固に接着させることができる。この接着により、中間部Ｍにおいて、第１遮水シート２４は、第１取付具３０を介してコンクリート層２０に固定される。
【００４３】
第１遮水シート２４の外側面の第１取付具３０と接着される位置と異なる位置には、第２取付具３４が接着されている。第２取付具３４は、第１取付具３０と同一形状とされ、凹部３４Ａが外向き配置されている。第２取付具３４は、予め第１遮水シート２４の外側面に接着されている。
【００４４】
第２保護シート２６は、第１遮水シート２４の外側を覆うように配置されている。第２保護シート２６には、第２取付具３４に対応する位置に露出口２６Ａが構成されており、この露出口２６Ａから第２取付具３４が第２保護シート２６の外側に露出されている。
【００４５】
第２遮水シート２８は、第２保護層の外側を覆うように配置されており、第２遮水シート２８の外側には、不織布４０がラミネートされている。不織布４０は、第３保護層２９の吹きつけを容易にするためのものであり、薄型とされている。第２遮水シート２８の内側面は、第２取付具３４の外側面と接着されている。第２取付具３４の第１遮水シート２４及び第２遮水シート２８への接着も、第１取付具３０と同様に第２取付具３４を加熱溶融させて融着により行われる。
【００４６】
第３保護層２９は、第２遮水シート２８の外側を覆うように設けられている。第３保護層２９は、第２遮水シート２８を保護するための緩衝材としての機能と、外部からの衝撃に対する耐性を有する点を考慮して、硬質発泡ウレタンで構成することが好ましいが、モルタル等で構成することもできる。
【００４７】
上記のように、コンクリート層２０、第１保護シート２２、第１遮水シート２４、第２保護シート２６、第２遮水シート２８、不織布４０、及び第３保護層２９が積層されて、壁面遮水構造１０が構成される。
【００４８】
次に、本実施形態の壁面遮水構造１０の施工方法について説明する。
【００４９】
まず壁面１４に沿ってコンクリート層２０を設ける。そして、コンクリート層２０に、コンクリートアンカー３２を打ち込むための穴（不図示）を形成する。
【００５０】
次に、図４（Ａ）に示すように、コンクリート層２０の外側を覆うように第１保護シート２２を配置し、その外側に第１取付具３０層を配置して、コンクリートアンカー３２を打ち込む。これにより、第１取付具３０と共に、第１保護シート２２がコンクリート層２０に固定される。
【００５１】
次に、図４（Ｂ）に示すように、第１遮水シート２４を用意する。第１遮水シート２４の外側面には、予め第２取付具３４が接着されている。第２取付具３４の接着は、第２取付具３４の溶融による融着により行われている。第２取付具３４は、第１取付具３０と重ならない位置に配置されている。第２取付具３４は、現場ではなく、予め工場などの他の場所で接着が完了されている。
【００５２】
この第１遮水シート２４を図５（Ｃ）に示すように、第１保護シート２２及び第１取付具３０の外側を覆うように配置し、第１遮水シート２４の外側からヒーター５０を用いて、第１取付具３０の外側を加熱溶融させ、第１遮水シート２４と融着させる。ヒーター５０としては、赤外線照射装置を用いることができ、ヒーター５０を第１遮水シート２４の外側から第１取付具３０に押しつけつつ赤外線を照射することにより、第１取付具３０の外側部分３０Ｂ（図３（Ｂ）参照）を溶融させつつ第１遮水シート２４へ融着することができる。これにより、第１遮水シート２４の中間部Ｍは、孔をあけられることなく第１取付具３０を介してコンクリート層２０に固定される。
【００５３】
次に、図５（Ｄ）に示すように、第２保護シート２６を第１遮水シート２４の外側に配置し、図６（Ｅ）に示すように、第２保護シート２６の第２取付具３４に対応する部分を切り取って露出口２６Ａを構成し、第２取付具３４を第２保護シート２６の外側に露出させる。
【００５４】
次に、図６（Ｆ）に示すように、不織布４０が予めラミネートされた第２遮水シート２８を、不織布４０を外側に向けて第２保護シート２６の外側を覆うように配置する。そして、第２遮水シート２８及び不織布４０の外側からヒーター５０を用いて赤外線を照射し、第２取付具３４の外側を加熱溶融させ、第２遮水シート２８と融着させる。これにより、第２遮水シート２８の中間部Ｍは、孔をあけられることなく第２取付具３４を介して第１遮水シート２４に接着され、コンクリート層２０に固定される。
【００５５】
次に第３保護層２９を、第２遮水シート２８の不織布４０側を覆うように形成する。第３保護層２９は、吹きつけにより形成することができる。一般的に、遮水シートは凹凸がなく平滑な表面とされているため、吹きつけによる外側層の形成が困難であるが、不織布４０を予めラミネートしておくことにより、第３保護層２９を容易に形成することができる。
【００５６】
このようにして、壁面１４に対する壁面遮水構造１０が施工される。
【００５７】
本実施形態によれば、第１取付具３０へ第１遮水シート２４を接着させると共に、第１遮水シート２４に接着された第２取付具３４へ第２遮水シート２８を接着させるので、第１遮水シート２４及び第２遮水シート２８に孔をあけることなく中間部Ｍをコンクリート層２０へ固定することができる。
【００５８】
また、本実施形態の壁面遮水構造１０には、不織布で構成された、第１保護シート２２、及び、第２保護シート２６が備えられているので、廃棄物の投入などによる衝撃が吸収され、第１遮水シート２４、及び、第２遮水シート２８の損傷が抑制される。また、地盤からの地下水を効率的に排水することができる。
【００５９】
また、最外側には第３保護層２９が設けられているので、廃棄物の投入などによる第１遮水シート２４、及び、第２遮水シート２８の損傷が抑制される。
【００６０】
なお、本実施形態では、本発明を廃棄物最終処理場の壁面に適用した例で説明したが、本発明は、これに限定されるものではなく、トンネル内壁やその他の傾斜面、直壁に適用することができる。
【図面の簡単な説明】
【００６１】
【図１】本実施形態の壁面遮水構造を示す断面図である。
【図２】本実施形態の壁面遮水構造の中間部付近を拡大して示す断面図である。
【図３】本実施形態の壁面遮水構造に用いられる第１取付具の（Ａ）は上面図であり、（Ｂ）は側面図である。
【図４】本実施形態の壁面遮水構造の施工手順（Ａ）（Ｂ）を示す説明図である。
【図５】本実施形態の壁面遮水構造の施工手順（Ｃ）（Ｄ）を示す説明図である。
【図６】本実施形態の壁面遮水構造の施工手順（Ｅ）（Ｆ）を示す説明図である。
【図７】遮水加工が必要な構造物の形態（Ａ）〜（Ｃ）を示す図である。
【符号の説明】
【００６２】
１０   壁面遮水構造
１２   地盤
１４   壁面
２０   コンクリート層
２１   遮水層
２２   第１保護シート
２４   第１遮水シート
２６   第２保護シート
２６Ａ 露出口
２８   第２遮水シート
２９   第３保護層
３０   第１取付具
３２   コンクリートアンカー
３４   第２取付具
４０   不織布
【図１】
2007330871.tif 000003
【図２】
2007330871.tif 000004
【図３】
2007330871.tif 000005
【図４】
2007330871.tif 000006
【図５】
2007330871.tif 000007
【図６】
2007330871.tif 000008
【図７】
2007330871.tif 000009